(57)【要約】【課題】  下枠に排水孔を形成せずに召合せ部の止水部を越えて室内側まで雨水等が浸入しないようにしたサッシである。【解決手段】  下枠３の内・外障子１０，２０の召合せ框１４，２４の下部位置に下部風止部材４０を取付け、この下部風止部材４０は一次シール部４１と二次シール部４２との間に排水用凹部４３を有し、前記召合せ框１４，２４の止水部を越えて浸入した雨水等が前記排水用凹部４３から室外側に向けて流れるようにし、下枠３の外障子２０を装着した室外寄り上面３ｃを前記排水凹部４３よりも低くし、その排水用凹部４３から流れた雨水等が室外寄り上面３ｃに沿って室外側まで流れるようにしたサッシで、前述の召合せ部の止水部から浸入した雨水等を下枠３の室外寄り上面３ｃから室外側まで流して排水できるから、下枠３に排水孔を形成せずに召合せ部の止水部を越えて室内側まで雨水等が浸入することがない。【選択図】  図５
2005232702.tif 000002
【特許請求の範囲】
【請求項１】
内障子の召合せ框と外障子の召合せ框との間を召合せシール材で止水し、
サッシ枠の下枠の上面と内障子の召合せ框の下面との間を下部風止部材で止水し、
この下部風止部材は、一次シール部と二次シール部との間に、前述の止水部から浸入した雨水等を室外側に向けて排水する排水用凹部を有し、
この排水用凹部よりも室外側寄りの下枠部分は、その排水用凹部よりも低く、雨水等が室外側まで流れる形状であるサッシ。
【請求項２】
内障子の召合せ框と外障子の召合せ框との間を、一次召合せシール材と二次召合せシール材でそれぞれ止水し、
この一次召合せシール材と二次召合せシール材との間に、排水用凹部が位置している請求項１記載のサッシ。
【請求項３】
内障子の召合せ框の室外側面に、外側に向う内煙返し片を設け、その内煙返し片の下方に排水用凹部が位置している請求項１又は２記載のサッシ。
【請求項４】
排水用凹部よりも室外側寄りの下枠部分に外障子が移動自在に装着され、この外障子の室内側下部と下枠との間の止水部が、前記排水用凹部の室外側端部よりも上方に位置している請求項１〜３いずれか１項記載のサッシ。
【発明の詳細な説明】
【技術分野】
【０００１】
本発明は、サッシ枠に内障子と外障子を装着したサッシ、詳しくは内障子と外障子の召合せ部の止水部を越えて雨水等が室内側まで浸入しないようにする止水構造に関する。
【背景技術】
【０００２】
特許文献１に、内障子と外障子の召合せ部の止水部を越えて雨水等が室内側まで浸入しないようにしたサッシが開示されている。
このサッシは、内障子の召合せ框と外障子の召合せ框との間を召合せシール材で止水し、その内・外障子の召合せ框の下面と下枠上面との間を下部風止部材で止水し、前記下部風止部材を、その上面が長手方向に不連続で、その不連続部分を下面まで連続する排水部を有する形状とし、この排水部を室外側に開口させる排水孔を下枠に形成したサッシである。
このサッシであれば、内・外障子の召合せ框の止水部や、内・外障子の召合せ框の下面と下部風止板の上面との間の止水部（つまり、召合せ部の止水部）を越えて浸入した雨水等が、下部風止部材の排水部を通して下枠の排水孔から室外側に排水されるので、召合せ部の止水部を越えて室内側まで雨水等が浸入することを防止できる。
【０００３】
【特許文献１】特開平９−２０９６６４号公報
【発明の開示】
【発明が解決しようとする課題】
【０００４】
前述したサッシは、召合せ部の止水部を越えて室内側まで雨水等が浸入することを防止できるが、そのために、召合せ部から浸入した雨水等を室外側に排水する排水孔を下枠に穿ける必要があり、その排水孔を穿ける作業が面倒である。
また、下枠が、室内側金属部材と室外側金属部材を断熱材で連結した断熱形材であると、下部風止部材を断熱材の上に取付けることになるので、その断熱材に排水孔を穿けることになる。
しかし、断熱材に排水孔を穿けることは大変に困難で、また、その部分からの漏水の恐れや断熱性能を確保できなくなる恐れがあり、実際には断熱材に排水孔を穿けることができないから、下枠が断熱形材であるサッシの場合には、召合せ部の止水部を越えて雨水等が室内側まで浸入することを防止できない。
【０００５】
本発明の目的は、下枠に排水孔を穿けることなしに召合せ部の止水部を越えて雨水等が室内側まで浸入することを防止できるサッシとすることである。
【課題を解決するための手段】
【０００６】
第１の発明は、内障子の召合せ框と外障子の召合せ框との間を召合せシール材で止水し、
サッシ枠の下枠の上面と内障子の召合せ框の下面との間を下部風止部材で止水し、
この下部風止部材は、一次シール部と二次シール部との間に、前述の止水部から浸入した雨水等を室外側に向けて排水する排水用凹部を有し、
この排水用凹部よりも室外側寄りの下枠部分は、その排水用凹部よりも低く、雨水等が室外側まで流れる形状であるサッシである。
【０００７】
第２の発明は、第１の発明において、内障子の召合せ框と外障子の召合せ框との間を、一次召合せシール材と二次召合せシール材でそれぞれ止水し、
この一次召合せシール材と二次召合せシール材との間に、排水用凹部が位置しているサッシである。
【０００８】
第３の発明は、第１又は第２の発明において、内障子の召合せ框の室外側面に、外側に向う内煙返し片を設け、その内煙返し片の下方に排水用凹部が位置しているサッシである。
【０００９】
第４の発明は、第１〜第３いずれか１つの発明において、排水用凹部よりも室外側寄りの下枠部分に外障子が移動自在に装着され、この外障子の室内側下部と下枠との間の止水部が、前記排水用凹部の室外側端部よりも上方に位置しているサッシである。
【発明の効果】
【００１０】
請求項１に係る発明によれば、内・外障子の召合せ框間の止水部、召合せ框の下面と下部風止部材との間の止水部、つまり、召合せ部の止水部を越えて浸入した雨水等は排水用凹部から室外側に向けて流れ、この排水用凹部よりも低い下枠部分から室外側に排水される。
よって、召合せ部の止水部を越えて浸入した雨水等が室内側まで浸入することを防止できる。
また、排水用凹部よりも室外側寄りの下枠部分を、その排水用凹部よりも低くすることで、雨水等を室外側まで流れるようにしたので、下枠に排水用孔を穿ける必要がない。
よって、金属製室内側部材と金属製室外側部材を断熱材で連結した断熱形材より成る下枠を用いたサッシであっても召合せ部の止水部を越えて雨水等が室内側まで浸入することを防止できる。
【００１１】
請求項２に係る発明によれば、一次召合せシール材による一次止水部を越えて浸入した雨水等は二次召合せシール材による二次止水部で止水されて下に落下し、排水用凹部に流れ込むので、一次止水部を越えて浸入した雨水等を確実に室外側に排水できる。
【００１２】
請求項３に係る発明によれば、召合せシール材による止水部を越えて浸入した雨水等は内煙返し片にぶつかって下に落下し、排水用凹部に流れ込むので、その止水部を越えて浸入した雨水等を確実に室外側に排水できる。
【００１３】
請求項４に係る発明によれば、排水用凹部の室外側端部から流れ落ちた雨水等が、強風雨時に外障子の室外側下部と下枠との間から室内側に吹き込むことがない。
【発明を実施するための最良の形態】
【００１４】
図１に示すように、サッシ枠１に内障子１０と外障子２０が装着してある。この実施の形態では内障子１０と外障子２０が面内方向に移動自在に装着されて引き違いサッシとしてあるが、これに限ることはない。例えば、内障子１０と外障子２０の一方を固定し、他方を移動自在としても良い。
前記サッシ枠１は、上枠２と下枠３と左右の縦枠４を方形状に連結してある。
前記内障子１０は、上框１１と下框１２と戸当り框１３と召合せ框１４を方形状に連結し、その内部にパネル、例えば、ガラス１５が取付けてある。
前記外障子２０は、上框２１と下框２２と戸当り框２３と召合せ框２４を方形状に連結し、その内部にパネル、例えば、ガラス２５が取付けてある。
【００１５】
図２と図３に示すように、前記上枠２は室内寄り下面２ａに内上レール２ｂを備え、室外寄り下面２ｃに外上レール２ｄを備えている。
前記下枠３は室内寄り上面３ａに内下レール３ｂを備え、室外寄り上面３ｃに外下レール３ｄを備えている。
前記室外寄り上面３ｃは室内寄り上面３ａよりも低い。この室内寄り上面３ａと室外寄り上面３ｂとの間に横向面３ｅと縦向面３ｆでほぼ鉤形状の部分を有する。この横向片３ｅは室外寄り上面３ｃよりも高く、縦向面３ｆが室外寄り上面３ｃと連続している。
図２に示すように、前記内上レール２ｂと内下レール３ｂに沿って内障子１０が面内方向に移動する。
この内障子１０の下面（召合せ框１４の下面）は、下枠３の室内寄り上面３ａと横向面３ｅと相対向している。
図３に示すように、前記外上レール２ｄと外下レール３ｄに沿って外障子２０が面内方向に移動する。
この外障子２０の下面（召合せ框２４の下面）は、下枠３の室外寄り上面３ｃと相対向し、その外障子２０の下部室内側面（下框２２の下部室内側面）が前記縦向面３ｆと相対向している。
【００１６】
図４に示すように、前記内障子１０の召合せ框１４と外障子２０の召合せ框２４との間は一次召合せシール材３０と二次召合せシール材３１で止水されている。
例えば、外障子２０の召合せ框２４の室内側面２４ａに一次召合せシール材３０が室内側に向けて装着され、内障子１０の召合せ框１４の室外側面１４ａに圧接する。その召合せ框１４の室外側面１４ａに二次召合せシール材３１が室外側に向けて装着され、外障子２０の召合せ框２４の室内側面２４ａに圧接している。
なお、一次、二次とは面内方向における左右方向で、一次は室外の空気と触れる側で、二次は室内の空気と触れる側である。
【００１７】
前記内障子１０の召合せ框１４の室外側面１４ａにおける二次召合せシール材３１よりも外側寄りに内煙返し片３２が外側に向けて備えている。
前記外障子２０の召合せ框２４の室内側面２４ａにおける一次召合せシール材３０よりも内側寄りに外煙返し片３３が内側に向けて備えている。
この外煙返し片３３が内煙返し片３２の室内側面に重なり合う。
【００１８】
図５と図６に示すように、下枠３の横向面３ｅにおける内外障子召合せ部と対向した位置に下部風止部材４０が取付けてある。
この下部風止部材４０は、一次シール部４１と、二次シール部４２と、その一次シール部４１と二次シール部４２との間の排水用凹部４３を有し、その排水用凹部４３は室内側が高く室外側が低い底面４３ａと内側縦面４３ｂと外側縦面４３ｃを有する形状で、その底面４３ａの室外側端部が前記下枠３の縦向面３ｆと連続し、この底面４３ａから雨水等が縦向面３ｆに沿って室外寄り上面３ｃに流れ落ち、その室外寄り上面３ｃから室外側に流れるようにしてある。つまり、下枠３における排水用凹部４３よりも室外寄りの下枠部分は、その排水用凹部４３より低く、雨水等が室外側まで流れる形状である。
【００１９】
そして、内・外障子１０，２０を閉じることで、図７、図８に示すように内障子１０の召合せ框１４の下面が下部風止部材４０の一次シール部４１、二次シール部４２の上面に接して下枠３の上面と召合せ框１４の下面との間を止水する。
また、前記二次召合せシール材３１が排水用凹部４３よりも内側で、前記一次召合せシール材３０が排水用凹部４３よりも外側となる。つまり、排水用凹部４３が一次召合せシール材３０と二次召合せシール材３１との間に位置する。
前記内煙返し片３２が排水用凹部４３と対向する。
そして、前記排水凹部４３が外障子２０の召合せ框２４の室内側面２４ａと相対向する。
【００２０】
前記外障子２０の召合せ框２４の室内側面２４ａの下部寄りに排水用孔２６が形成してある。
この排水用孔２６は図７に示すように下部風止部材４０の排水用凹部４３の底面４３ａにおける室外側端部と対向し、召合せ框２４の中空部２４ｂ内に雨水等が入り込むことが可能としてある。
この実施の形態では、召合せ框２４の中空部２４ｂの下部に下部摺動片２７が嵌合して取付けてあり、この下部摺動片２７に孔２８が形成されて、この孔２８から下部摺動片２７内に雨水等が入り込むことが可能としてある。
【００２１】
このようであるから、一次召合せシール材３０と召合せ框１４の室外側面１４ａの間の止水部を越えて浸入した雨水等は、その召合せ框１４の室外側面１４ａに沿って流れて落ちて排水用凹部４３内に流れ込む。
また、下部風止部材４０の一次シール部４１の上面と召合せ框１４の下面との間の止水部を越えて浸入した雨水等も前述の排水用凹部４３内に流れ込む。
また、一次シール部４１の室外側縦面と召合せ框２４の室内側面２４ａ下部（この実施の形態では下部摺動片２７）との間から浸入した雨水も前述の排水用凹部４３内に流れ込む。
【００２２】
前述のように、排水用凹部４３に流れ込んだ雨水等は、その底面４３ａに沿って室外側に向けて流れ、下枠３の縦向面３ｆと召合せ框２４の室内側面２４ａとの間から流れ落ちて室外側に排水される。例えば、室外寄り上面３ｃに流れ落ち、外下レール３ｄに形成した切欠部から室外側に排水される。
【００２３】
前述の排水用凹部４３から雨水等が勢い良く流れ落ちる場合や、多量の雨水等が流れ落ちる場合等には、その雨水等の一部が排水用孔２６（孔２８）より召合せ框２４の中空部２４ｂ（下部摺動片２７）内に流れ込んで排水するので、スムーズに排水できる。
【００２４】
また、前述したように内障子１０の召合せ框１４の室外側面１４ａに内煙返し片３２を設け、その内煙返し片３２を排水用凹部４３と対向させることで、前述のように一次召合せシール材３０と召合せ框１４の室外側面１４ａの間の止水部を越えて浸入した雨水等は、その内煙返し片３２にぶつかり、下方向へ落ちるので、より一層確実に排水用凹部４３に流れ込むので、確実に排水できる。
【００２５】
前記内煙返し片３２を設けなくとも浸入した雨水等を排水用凹部４３まで流れ込むが、この場合には二次召合せシール材３１を排水用凹部４３と対向した位置とし、浸入した雨水等が二次召合せシール材３１にぶつかり、下方向へ落ちるようにすることが好ましい。
なお、内煙返し片３２、二次召合せシール材３１がなくとも浸入した雨水等を排水用凹部４３まで流れ込む。
【００２６】
前述のようにした場合に、排水用凹部４３から流れ落ちた雨水等が外障子２０の室内側下部と下枠３との間から強風雨時に室内側に吹き込む恐れがあるので、図５、図６に示すように下枠３における排水用凹部４３の内側縦面４３ｂよりも内側寄りで、かつ底面４３ａの室外側端部よりも上方位置（つまり、外障子閉じ側位置）に外障子下内横シール材２９を室外側に向けて装着し、外障子下部と下枠３との間を止水する。
このようにすることで、外障子２０の室内側下部と下枠３との間の止水部が排水用凹部４３の室外側端部よりも上方に位置するから、排水用凹部４３から流れ落ちた雨水等が外障子２０室内側下部と下枠３との間から強風雨時に室内側に吹き込むことを防止できる。
【００２７】
次に、サッシの具体形状を説明する。
前記上枠２、下枠３、縦枠４は図２、図３、図４に示すように、室内側金属部材５と室外側金属部材６を断熱材７で連結した断熱形材である。
前記下枠３は図６に示すように、その断熱材７を内障子閉じ側の第１カバー材８、外障子閉じ側の第２カバー材９で被覆っている。
この第１カバー材８は図２と図６に示すように、横片８ａとクランク形状の縦片８ｂを備えた断面形状の長尺材で、その横片８ａが室内側金属部材５と室外側金属部材６に跨って接して断熱材７を被覆し、縦片８ｂの上部が下枠３の内下レール３ｂに接して取付けられ、内下レール３ｂの室外側面と第１カバー材８との間に中空部５０を形成している。
この第１カバー材８の横片８ａの室外側部分と縦片８ｂの鉤形となった部分が前述の下枠３における横向面３ｅを構成している。
【００２８】
前記第２カバー材９は図３と図６に示すように、下横片９ａと室外側縦片９ｂと上横片９ｃと室内側立上り片９ｄを備えた断面形状の長尺材で、その下横片９ａが室内側金属部材５と室外側金属部材６に跨って接して断熱材７を被覆し、室外側縦片９ｂに前述の外障子下内横シール材２９が装着され、室内側立上り片９ｄが内下レール３ｂに接して取付けてある。
この第２カバー材９の上横片９ｃが前述の下枠３の横向面３ｅを構成している。
【００２９】
前記第１カバー材８は一方の縦枠４から召合せ部まで（つまり、内障子１０の閉じ側部分）に亘って取付けられ、第２カバー材９は他方の縦枠４から召合せ部まで（つまり、外障子２０の閉じ側部分）に亘って取付けてあり、召合せ部において間隔を置いて対向している。
【００３０】
前記下部風止板４０の一次シール部４１は、第１カバー材８の上面に接する略クランク形状の横板４４と、その上面に設けたヒレ４４ａを備えている。
前記二次シール部４２は、第２カバー材９の上横片９ｃに接する横板４５と、その上面に設けたヒレ４５ａを備えている。
前記排水用凹部４３は、二次シール部４２の横板４５と連続した内側縦板４６と、一次シール部４１の横板４４と連続した外側縦板４７と、この内側縦板４６と外側縦板４７間に設けたほぼＵ字形状の底板４８を備えている。この内側縦板４６、外側縦板４７が前述の内側縦面４３ｂ、外側縦面４３ｃで、底板４８が前述の底面４３ａである。
【００３１】
前記下部風止板４０は、一次シール部４１の横板４４が第１カバー材８の上面に接し、二次シール部４２の横板４５が第２カバー材９の上面に接し、底板４８が下枠３に接するように取付けられる。
【００３２】
前記第１カバー材８の一端部と一次シール部４１との間には、前記中空部５０を室外側に開口する排水用通路５１が形成してある。
例えば、前記第１カバー材８の一端面８ｃは外側縦板４７と離隔し、かつ第１カバー材８の横片８ａの室外側部の上面と横板４４の室外側横片４４ｂの下面が離隔して前述の排水用通路５１を形成している。
前記下枠３の内下レール３ｂの内障子閉じ側に、図２に示すように前述の中空部５０に開口した排水穴５２を形成し、下枠３の室内寄り上面３ａに溜った雨水等が排水穴５２から中空部５０に流れるようにする。
前記排水穴５２は第１カバー材８で被覆されて室外側から見えない。
【００３３】
このようであるから、下枠３の室内寄り上面３ａに溜った雨水等は排水穴５２から中空部５０に流れ、その中空部５０に沿って下部風止部材４０に向けて流れ、その第１カバー材８の一端部と一次シール部４１との間の排水用通路５１から室外側に排水される。
【００３４】
前記内・外障子１０，２０の上框、下框、戸当り框は、図２、図３、図４に示すように、金属製室内側部材６０と金属製外側部材６１を断熱材６２で連結した断熱形材で、外障子２０の召合せ框２４は金属製である。
【００３５】
前記内障子１０の召合せ框１４は図４に示すように、金属製室内側部材７０と、この面内方向外側の室外側部７１に第１断熱材７２で連結した金属製室外側部材７３と、前記金属製室内側部材７０の面内方向内側の室外側部７４にビス７５で取付けた金属製アタッチメント７６と、この金属製アタッチメント７６の室外側部と前記金属製室外側部材７３に亘って取付けた第２断熱材７７を備え、断熱性が優れたものであると共に、ビス７５が見えずに意匠性が良い召合せ框としてある。
【００３６】
この召合せ框１４は次のようにして組み立てする。
前記金属製室内側部材７０と金属製室外側部材７３を第１断熱材７２で連結する。
その金属製室内側部材７０に金属製アタッチメント７６を面外方向に向うビス７５で取付ける。
この金属製アタッチメント７６と金属製室外側部材７３の相対向した溝７８に、板状に成型した第２断熱材７７を長手方向からスライドして挿入し、その後にカシメて固着することで連結する。
また、前述の第２断熱材７７はカシメ固定せず、召合せ框１４の上下に取付けた上下の摺動片で挟み込んで固定しても良い。
なお、第２断熱材７７を面外方向（室内外側方向）両側より圧入するようにしても良い。
【００３７】
前述の実施の形態では、下部風止部材４０の一次シール部４１、二次シール部４２、排水用凹部４３を一体としたが、一次シール部４１と二次シール４２を別体とすると共に、排水用凹部４３を有する排水用部品を一次シール４１と二次シール４２との間に設けるようにしても良い。
【図面の簡単な説明】
【００３８】
【図１】サッシの概略内観図である。
【図２】図１のＡ−Ａ拡大詳細断面図である。
【図３】図１のＢ−Ｂ拡大詳細断面図である。
【図４】図１のＣ−Ｃ拡大詳細断面図である。
【図５】下枠の召合せ部分の平面図である。
【図６】下枠の召合せ部分の斜視図である。
【図７】図５のＤ−Ｄ断面図である。
【図８】内外障子の召合せ部の斜視図である。
【符号の説明】
【００３９】
１…サッシ枠、２…上枠、３…下枠、４…縦枠、１０…内障子、１４…召合せ框、１４ａ…室外側面、２０…外障子、２４…召合せ框、２４ａ…室内側面、３０…一次召合せシール材、３１…二次召合せシール材、３２…内煙返し片、３３…外煙返し片、４０…下部風止部材、４１…一次シール部、４２…二次シール部、４３…排水用凹部。
【図１】
2005232702.tif 000003
【図２】
2005232702.tif 000004
【図３】
2005232702.tif 000005
【図４】
2005232702.tif 000006
【図５】
2005232702.tif 000007
【図６】
2005232702.tif 000008
【図７】
2005232702.tif 000009
【図８】
2005232702.tif 000010